(57)【特許請求の範囲】
【請求項１】
ケースの穴から突出する押釦の下面にスイッチ作動部が設けられ、前記押釦の周囲に薄肉フランジ形状の鍔部が設けられており、前記鍔部の両側に前記押釦を前記下面側に変位可能に支持し、前記鍔部と同じ肉厚で滑らかに連なる２つのヒンジが形成され、前記２つのヒンジのそれぞれの先端が前記ケースに固定され、前記２つのヒンジのうち前記押釦から前記ヒンジの先端までの距離が短い方のヒンジがスリットを介して二股状の連結部で前記押釦に繋がり、前記押釦から前記２つのヒンジの先端までの距離の違いにより生じる前記押釦の変位の際の前記ヒンジへの応力集中を緩和させることを特徴とする合成樹脂により一体成形されたヒンジつき押釦。
【請求項２】
前記スイッチ作動部は、前記押釦の下面の中央に配置されることを特徴とする請求項１に記載のヒンジつき押釦。
【発明の詳細な説明】
【技術分野】
【０００１】
この発明は携帯用通信機に係わり、特に、そのＰＴＴつまみに関する。
【背景技術】
【０００２】
従来の携帯用通信機のＰＴＴ（push to talk) つまみの例を図３により説明する。図３（ａ）は従来の携帯用通信機のＰＴＴつまみの例を示す平面図、図３（ｂ）は同ＰＴＴつまみを示す側面図、図３（ｃ）は同ＰＴＴつまみを示す底面図、図３（ｄ）は図３（ａ）におけるＡ−Ａ断面図である。
【０００３】
図３に示すＰＴＴつまみ１０は合成樹脂により一体成形されており、中央の釦部２の両側にはヒンジ３とヒンジ４が左右方向に延びているヒンジ３とヒンジ４の夫々の先端部３ａおよび先端部４ａは中央側の部分より一段高い面となっている。
【０００４】
押釦部２は図示していないケース側面の穴より外部に露出しており、押釦部２の下面にはスイッチ作動部５が突起状に形成されており、スイッチ作動部５は図示していないシャシまたはシャシに固定されたプリント基板に設けられたスイッチの作動子と対向している。
【０００５】
ヒンジ３の先端部３ａおよびヒンジ４の先端部４ａは夫々ケース内面に形成された凹みに嵌まりＰＴＴつまみ１０が位置決めされ、ヒンジ３の先端部３ａおよびヒンジ４の先端部４ａはケースとシャシで挾持されることによりケースに固定される。ヒンジ４の中間に設けられている円弧形状部６、６の両側に形成された足６ａ、６ａはシャシに当接する。
【０００６】
ケース外部に露出した釦部２を指で押すことにより、釦部２が下動し、スイッチ作動部５がスイッチの作動子を作動させることにより、送信・受信状態が切り替えられる。このとき円弧形状部６、６の両側に形成された足６ａ、６ａがシャシに当接するめ、釦部２の縁を押してもヒンジ４が捩じり変形せず、釦部２が傾かない。
【０００７】
ところで、携帯用通信機の側面のスペースは限られており、ＰＴＴつまみのために広いスペースとることはできない。従って、ヒンジの長さは短くなる。短いヒンジで押釦部２にスイッチを作動させるための十分な上下動のストロークを与えるためにはヒンジの撓みが大きくなり、ヒンジには大きい応力が加わることになる。
【０００８】
ＰＴＴつまみは頻繁に作動されるために、ヒンジには繰り返し応力が多数回加わることになる。印加される応力が大きくなると、繰り返し応力により疲労破壊に至る応力繰り返し回数が少なくなる。従って、上記したＰＴＴつまみ１０は作動される回数が多くなると疲労破壊する恐れがあった。
【０００９】
特開平１１−１４９８４５号公報に開示されたヒンジ付きツマミは、ヒンジ２がツマミ支持体１とツマミ部４に連なるように一体に形成され、ヒンジ２は片持梁として作用する。このヒンジ付きツマミはツマミ部４が片持梁で支持されているので、ツマミ部４を押したときにツマミ部４が傾き、動作感が損なわれるという問題があった。
【特許文献１】特開平１１−１４９８４５号公報、段落００１０、段落００１１、図１
【発明の開示】
【発明が解決しようとする課題】
【００１０】
この発明は上記した点に鑑みてなされたものであって、その目的とするところは、良好な動作感が得られ、しかも長期間使用しても疲労破壊する恐れのない携帯用通信機のＰＴＴつまみ提供することにある。
【課題を解決するための手段】
【００１１】  この発明の合成樹脂により一体成形されたヒンジつき押釦は、ケースの穴から突出する押釦の下面にスイッチ作動部が設けられ、前記押釦の周囲に薄肉フランジ形状の鍔部が設けられており、前記鍔部の両側に前記押釦を前記下面側に変位可能に支持し、前記鍔部と同じ肉厚で滑らかに連なる２つのヒンジが形成され、前記２つのヒンジのそれぞれの先端が前記ケースに固定され、前記２つのヒンジのうち前記押釦から前記ヒンジの先端までの距離が短い方のヒンジがスリットを介して二股状の連結部で前記押釦に繋がり、前記押釦から前記２つのヒンジの先端までの距離の違いにより生じる前記押釦の変位の際の前記ヒンジへの応力集中を緩和させることを特徴とするものである。
また、この発明のヒンジつき押釦は前記ヒンジつき押釦において、前記スイッチ作動部が前記押釦の下面の中央に配置されるものである。
【発明の効果】
【００１２】
この発明の携帯用通信機のＰＴＴつまみによれば、良好な動作感が得られ、しかも長期間使用しても疲労破壊する恐れがない。
【発明を実施するための最良の形態】
【００１３】
図１（ａ）はこの発明の実施例である携帯用通信機のＰＴＴつまみを示す平面図、図１（ｂ）は同ＰＴＴつまみを示す側面図、図１（ｃ）は同ＰＴＴつまみを示す底面図、図１（ｄ）は図１（ａ）におけるＡ−Ａ断面図である。
【００１４】  図１に示すＰＰＴつまみ１は合成樹脂により一体成形されており、中央の押釦２の両側にはヒンジ３とヒンジ４が左右方向に延びている。ヒンジ３とヒンジ４の夫々の先端部３ａおよび先端部４ａは中央の部分より一段高い面となっている。【００１５】
押釦部２は図示していないケース側面の穴より外部に露出しており、押釦部２の下面にはスイッチ作動部５が突起状に形成されており、スイッチ作動部５は図示していないシャシまたはシャシに固定されたプリント基板に設けられたスイッチの作動子と対向している。
【００１６】  ヒンジ３の先端部３ａおよびヒンジ４の先端部４ａは夫々ケース内面に形成された凹みに嵌まりＰＴＴつまみ１が位置決めされ、ヒンジ３の先端部３ａおよびヒンジ４の先端部４ａはケースとシャシで挟持されることによりケースに固定される。ヒンジ４の中間に設けられている円弧形状部６，６の両側形成された足６ａ、６ａはシャシに当接する。【００１７】
図１に示すスリット７はこの発明の特徴部分であり、ヒンジ３の付根部に設けられており、スリット７の外側に形成される二股状連結部８を介してヒンジ３が押釦部２と繋がっている。
【００１８】
ケース外部に露出した釦部２を指で押すことにより、釦部２が下動し、スイッチ作動部５がスイッチの作動子を作動させることにより、送信・受信状態が切り替えられる。このとき円弧形状部６、６の両側に形成された足６ａ、６ａがシャシに当接するめ、釦部２の縁を押してもヒンジ４が捩じり変形せず、釦部２が傾かない。
【００１９】
実施例のＰＴＴつまみはヒンジ３と押釦部２の間に二股状連結部８が介在するために、押釦部２の変位を生じさせる梁の長さが長くなり、押釦部２の単位変位量に対するヒンジ３および二股状連結部８に加わる応力が全体に亘り小さくなる。
【００２０】
さらに、応力が流れる断面積変化で発生する応力集中については、二股状連結部８の付根２箇所での断面積の和はスリットがないときのスリット付根の断面積の２倍程度となり応力が流れる断面積変化は小さくなる。従って応力集中が小さくなる。さらに、釦部２を片押ししたときの捩じれ変形については、捩じれ変形で発生するトルクを２か所の大きいスパンで受けるため、捩じれ変形で発生する応力も小さくなる。
【００２１】
図２に実施例と従来例のＰＴＴつまみに発生する最大応力を応力解析で得た結果を示す。図２の表で明らかなように、各印加された荷重１〜５kgf に対する最大応力は本実施例のものの方が従来例のものよりいずれの荷重に対しても小さくなっている。この応力の差により、本実施例のＰＴＴつまみは従来例のＰＴＴつまみよりも２倍以上の繰り返し荷重に耐えることが可能となった。
【図面の簡単な説明】
【００２２】
【図１】図１（ａ）はこの発明の実施例である携帯用通信機のＰＴＴつまみを示す平面図、図１（ｂ）は同ＰＴＴつまみを示す側面図、図１（ｃ）は同ＰＴＴつまみを示す底面図、図１（ｄ）は図１（ａ）におけるＡ−Ａ断面図である。
【図２】実施例と従来例のＰＴＴつまみ応力を比較して示す表である。
【図３】図３（ａ）は従来の携帯用通信機のＰＴＴつまみの例を示す平面図、図３（ｂ）は同ＰＴＴつまみを示す側面図、図３（ｃ）は同ＰＴＴつまみを示す底面図、図３（ｄ）は図３（ａ）におけるＡ−Ａ断面図である。
【符号の説明】
【００２３】
１  ＰＴＴつまみ
２  釦部
３  ヒンジ、３ａ先端部
４  ヒンジ、４ａ先端部
５  スイッチ作動部
６  円弧形状部、６ａ  足
７  スリット
８  二股状連結部
１０  ＰＴＴつまみ
【図１】
0005045400.tif 000002
【図２】
0005045400.tif 000003
【図３】
0005045400.tif 000004